(57)【要約】【課題】扉外面に開口したシリンダ筒挿通穴から針金を挿入しての不正解錠を防止する。【解決手段】シリンダ筒２に嵌装され、外端開口部に外向きの係止部１３を、内端開口部に外向きの係止爪１４を夫々形成した保持筒１２と、この保持筒の外側に嵌合し、シリンダ挿通穴１１を外側から覆う鍔部１６と、シリンダ筒挿通穴１１とほぼ同径の筒部１７とを軸線方向に連設してなる筒体であって、外端開口縁内周部に保持筒の係止部と係合する段部を形成すると共に、その外周面の１ヵ所を母線に沿って切り欠いて拡開できるようにした本体とを有し、保持筒と本体とを相互に係合させた状態で、シリンダ筒の周囲の環状の隙間を閉塞する。【選択図】　図６
2004100418.tif 000002
【特許請求の範囲】
【請求項１】
シリンダ錠を内側に担持し、開口端縁外周部に雄ねじ部を形成したカップ状のシリンダ筒を、開口端を内側にして扉外面に開口したシリンダ筒挿通穴に挿通し、上記雄ねじ部を錠箱の側面部に設けられた雌ねじ部に螺合させることにより錠箱に固定するものにおいて、上記シリンダ筒に嵌装され、外端開口部に外向きの係止部を、内端開口部に外向きの係止爪を夫々形成した保持筒と、この保持筒の外側に嵌合し、シリンダ挿通穴を外側から覆う鍔部と、シリンダ筒挿通穴とほぼ同径の筒部とを軸線方向に連設してなる筒体であって、外端開口縁内周部に保持筒の係止部と係合する段部を形成すると共に、その外周面の１ヵ所を母線に沿って切り欠いて拡開できるようにした本体とを有することを特徴とする扉のシリンダ筒挿通穴閉塞具。
【発明の詳細な説明】
【０００１】
【発明の属する技術分野】
この発明は、扉のシリンダ筒挿通穴閉塞具（以下単に閉塞具という）に係り、特に、簡単な構造で容易に扉の外面におけるシリンダ筒挿通穴を閉塞することができ、錠前の安全性を向上させることができる閉塞装置に関する。
【０００２】
【従来の技術】
シリンダ錠の扉への装着の態様は、例えば図１に示すように、シリンダ錠１を収納したカップ状のシリンダ筒２を、錠箱３の側板及び扉４を貫通させて扉面外に突出させ、その突出部分を化粧リング５で覆う構造である。
【０００３】
ちなみに、シリンダ筒２そのものは、その開口端縁外周部に形成された雄ねじ部６０を、錠箱３の側面部に設けられた図示しない雌ねじ部に螺合させ、これも図示しないセットビスにより扉の自由側端縁側から固定する。
【０００４】
しかして、或種の高級な扉においては、化粧リングの代りに、エスカチオン（化粧座板：図示せず）を装着する場合がある。
【０００５】
このエスカチオンは、通常、縦長の板材で、表面に彫刻等の装飾が施されており、室内側から取付ビスで扉外面に呼びつけられるようにして装着される。
【０００６】
【発明が解決しようとする課題】
ところが、錠箱３の寸法及びエスカチオンの取付ビスの位置は事実上一定に定まっており、図２に示すように、取付ビスの位置は生憎錠箱の上端を掠めるような位置にある。
【０００７】
そのため、図２に示すように、エスカチオンの取付ビスとの干渉を避けるため、錠箱３の天井板３ａにビス溝７を、錠箱の側板３ｂの上端にビス孔８を夫々形成しなければならないが、これらビス溝７及びビス孔８は化粧リングを用いる扉用の錠箱には必要無いものである。
【０００８】
なお、図２においてはビス孔８はＵ字形であるが、取付ビスの横断面形状に応じて半円形のビス孔もあるし、矩形のものもある。
【０００９】
しかしながら、同じ機構の錠箱でありながら取付ビス用のビス溝７及びビス孔８を形成したものとしないものとを別個に製造することは、コストの上昇の原因にもなるし、また、管理も困難になるので、化粧リングを装着する扉用の錠箱にもビス溝及びビス孔を形成している。
【００１０】
なお、これらビス溝７及びビス孔８は、図２に示すように、デッドボルト等の錠止部材を操作するデッドカム９の近傍に開口している。
【００１１】
一方、図１に示すように、扉４の外面にはシリンダ筒２を通すためのシリンダ筒挿通穴１１が開口しており、シリンダ錠装着時扉外面側からシリンダ筒を差込み、その開口端縁外周部に形成された雄ねじ部６を、錠箱３の側面部に設けられた図示しない雌ねじ部に螺合させ、これも図示しないセットビスにより扉の自由側端縁側から固定する。
【００１２】
そのため、化粧リングの可動部を持上げ、特殊な形状をした針金の先端部を、シリンダ筒挿通穴１１及び扉の外面と錠箱３との間を通して、上記ビス溝７から錠箱３内に挿入すると、これを引くことによりデッドボルトが引込むので、不正解錠が不可能ではなく、したがって錠前の防犯性が失われる、という不都合がある。
【００１３】
なお、この不正解錠の方法は、これを公表すると防犯上問題があるし、また、実用新案登録第３０８０８９９号に係る登録実用新案公報に記載されているので、ここではその記載を省略する。
【００１４】
この発明は、上記した扉外面に開口したシリンダ筒挿通穴１１を閉塞する簡単な構造の閉塞装置を提供することを目的としている。
【００１５】
【課題を解決するための手段】
上記の目的をし達成するため、この発明は、シリンダ錠を内側に担持し、開口端縁外周部に雄ねじ部を形成したカップ状のシリンダ筒を、開口端を内側にして扉外面に開口したシリンダ筒挿通穴に挿通し、上記雄ねじ部を錠箱の側面部に設けられた雌ねじ部に螺合させることにより錠箱に固定するものにおいて、上記シリンダ筒に嵌装され、外端開口部に外向きの係止部を、内端開口部に外向きの係止爪を夫々形成した保持筒と、この保持筒の外側に嵌合し、シリンダ挿通穴を外側から覆う鍔部と、シリンダ筒挿通穴とほぼ同径の筒部とを軸線方向に連設してなる筒体であって、外端開口縁内周部に保持筒の係止部と係合する段部を形成すると共に、その外周面の１ヵ所を母線に沿って切り欠いて拡開できるようにした本体とを有することを特徴とする。
【００１６】
【実施例】
以下、この発明の一実施例を図３乃至図６を参照して説明する。
図３において符号１２は保持筒を示し、この保持筒１２は、前記シリンダ筒２の外側に嵌装される（図６参照）薄肉の筒体で、シリンダ筒に嵌装されたとき外側となる外端（図３で上端）開口部には、外向きの係止部１３が一体に形成されている。
【００１７】
図示の実施例では、この係止部１３は外端開口外周縁において外側に張出すフランジとして、保持筒１２に一体に形成されている。
【００１８】
また、保持筒１２の内端開口部に少なくとも１個（図示の実施例では４個）の外向きの係止爪１４が形成されている。図示の実施例では、この係止爪１４は保持筒１２の半径方向に弾性変形できるように構成されている。
【００１９】
一方、図４及び図５において符号１５は本体を示し、この本体１５は、シリンダ挿通穴１１を外側から覆うことが出来る形状の鍔部を１６備えている。
【００２０】
図示の実施例では、この鍔部１６の外形形状は、図４に示すように、後述の筒部１７に外接する横長の楕円形となっている。
【００２１】
上記本体１５は、また、シリンダ筒挿通穴１１とほぼ同径の外径を有し、上記保持筒の外側に嵌装される筒部１７を有し、これら筒部１７及び鍔部１６は筒部の軸線方向（図５で上下方向）において連設されている。
【００２２】
また、この本体１５の外端（図５で上端）開口縁内周部は拡径されていて、上記保持筒の係止部１３（図３参照）と係合する段部１８（図５参照）が形成されている。
【００２３】
更にまた、図４に示すように、本体１５の外周面の１ヵ所は、鍔部１６及び筒部１７を含めて、母線に沿って切り欠かれ、スリット１９が形成されており、このスリット１９の幅を広げる方向に拡開できるようになっている。
【００２４】
なお、図示の実施例では、この本体１５の拡開を容易にするため、中心軸線に関しスリット１９と対称的な角度位置における内周面が肉を盗まれ、薄肉部２１となっている。
【００２５】
また、筒部１７の内端開口縁部内周面は面取り部２２（図５参照）が形成されている。
【００２６】
上記のように構成されたこの発明の一実施例による閉塞具は、錠箱３を扉４に装着した後、図７に示すように、化粧リング５を装着したシリンダ筒２の内端部に先ず保持筒１２を嵌装する。このとき、図３に示す保持筒の上端から先にシリンダ筒２に嵌装する。
【００２７】
次いで、この保持筒１２の外側に、本体１５を巻装する。このとき、前記スリット１９を開いて本体を拡開させ、この開いた部分に、係止部１３が本体の段部１８と係合するように保持筒１２を挿入するようにすると容易に巻装できる。
【００２８】
この場合、図６に示すように、保持筒の係止部１３が本体の段部１８と係合すると共に、保持筒の係止爪１４が本体の面取り部２２と係合するように、各部の形状、寸法を設定するものとする。
【００２９】
次いで、上記したとは反対に、スリット１９の間隔を狭める方向にリング状の本体を巻締めると、筒部１７（図４参照）の外径が少し小さくなるから、その状態でシリンダ筒の内端部をシリンダ筒挿通穴１１を差し通して扉内に挿入する。
【００３０】
すると、本体１５の筒部１７はシリンダ筒挿通穴１１を通過するが、鍔部１６は扉外面のシリンダ筒挿通穴１１の開口端縁部に引っ掛かってこれに係止される（図６参照）。
【００３１】
後は従来のシリンダ筒装着作業と同様に、シリンダ筒の内端外周面に形成された雄ねじ部６を錠箱側板の図示しない雌ねじに螺合させ、更に、図示しないセットビスにより固定する。
【００３２】
一旦装着されたら、図６から明らかなように、この閉塞具を構成する本体１５及び保持筒１２を扉内に押込むことはできないし、また、扉外面側から抜出すこともできない。
【００３３】
上記のようにして扉の外面に装着されたこの発明による閉塞具は、化粧リング５の可動部を持上げてその隙間から扉内に針金を挿入しようとしてもそれは不可能である。
【００３４】
それは、図６から明らかなように、シリンダ筒挿通穴１１（図１参照）の中央部はシリンダ筒２それ自体が、シリンダ筒２の回りの環状の隙間は閉塞具の筒部１７及び保持筒１２が夫々閉塞しているからである。
【００３５】
【発明の効果】
以上の説明から明らかなように、この発明は、シリンダ筒に嵌装され、外端開口部に外向きの係止部を、内端開口部に外向きの係止爪を夫々形成した保持筒と、この保持筒の外側に嵌合し、シリンダ挿通穴を外側から覆う鍔部と、シリンダ筒挿通穴とほぼ同径の筒部とを軸線方向に連設してなる筒体であって、外端開口縁内周部に保持筒の係止部と係合する段部を形成すると共に、その外周面の１ヵ所を母線に沿って切り欠いて拡開できるようにした本体とを有し、保持筒と本体とを相互に係合させた状態で、シリンダ筒の周囲の環状の隙間を閉塞するようにしたので、シリンダ筒挿通穴から針金を差込んでの不正解錠を完全に防止することができる、という所期の効果を奏する。
【図面の簡単な説明】
【図１】シリンダ筒の取付の一例を示す線図的断面図。
【図２】錠箱の構造の一例を示す一部断面一部側面図。
【図３】保持筒の一部断面側面図。
【図４】本体の背面図。
【図５】本体の一部断面側面図。
【図６】この発明による閉塞具を装着したシリンダ筒取付部の線図的断面図。
【符号の説明】
１　シリンダ錠
２　シリンダ筒
３　錠箱
４　扉
５　化粧リング
６　雄ねじ部
７　ビス溝
８　ビス孔
９　デッドカム
１１　シリンダ筒挿通穴
１２　保持筒
１３　係止部
１４　係止爪
１５　本体
１６　鍔部
１７　筒部
１８　段部
１９　スリット
２１　薄肉部
２２　面取り部
【図１】
2004100418.tif 000003
【図２】
2004100418.tif 000004
【図３】
2004100418.tif 000005
【図４】
2004100418.tif 000006
【図５】
2004100418.tif 000007
【図６】
2004100418.tif 000008